(57)【特許請求の範囲】
【請求項１】
通帳搬送面の下側搬送ガイドよりも上側において駆動軸上に配設されたフィードローラの下方にこれに対して付勢されたプレッシャローラを設けるとともに、前記駆動軸上に外周の一部にめくり部材を突設された頁めくりローラを回転自在に保持し、頁めくり動作時は前記プレッシャローラを前記フィードローラから下方に離間させる手段と、頁めくり動作時は前記頁めくりローラに所定方向に回転させる手段とを設け、前記下側搬送ガイドの前記頁めくりローラの下方に位置する部分に形成した孔の下方に頁めくり動作時に前記孔を通って前記頁めくりローラに向かって移動される通帳押上部材を有する通帳押上機構を設けてある通帳頁めくり装置において、
前記下側搬送ガイドの前記孔の周辺部分に前記頁めくりローラのめくり部材により押圧される通帳の一部が弾力的に沈み込み得る陥凹部を形成したことを特徴とする通帳頁めくり装置。
【発明の詳細な説明】
【０００１】
【発明の属する技術分野】
本発明は、定位置に設けられた頁めくりローラを所定方向に回転させて、その頁めくりローラの外周面が接触している通帳の中紙をめくる、通帳頁めくり装置に関する。
【０００２】
【従来の技術】
本出願人は、特願平１０−３０１３２０号明細書において、定位置において所定方向に回転される頁めくりローラを用いる通帳頁めくり装置を提案した。この通帳頁めくり装置においては、図５に示すように、見開き状態の通帳１００を搬送ローラＣＲ１，ＣＲ２により頁めくり領域まで搬送して停止し｛図５（ａ））、その通帳に接触している頁めくりローラＴＲを、その通帳の中紙１０１の先端が頁めくりローラＴＲの下端部を通過して通帳の綴じ目１０２の方向に移動するように所定方向に回転させて、その中紙１０１を膨らませる｛図５（ｂ）｝とともに、さらにその中紙を頁めくりローラＴＲの上方に跳ね上げさせる｛図５（ｃ）｝。複数枚めくる場合は、頁めくりローラＴＲをめくり枚数と同じ回数回転させる。頁めくりローラＴＲを所定回数回転させた後は、搬送ローラＣＲ１，ＣＲ２を所定方向に回転させて、その通帳１００を前記綴じ目１０２が前記頁めくりローラＴＲの下端部を通過する方向に移動させて、跳ね上げられた中紙１０１を反転させる｛図５（ｄ）｝ことにより、頁めくり動作を完了するようになっている。
【０００３】
以上は、図５において、通帳を右側から左側にめくる場合について説明したが、通帳を左側から右側にめくる場合は、同図（ａ）〜（ｄ）の通帳の位置が頁めくりローラＴＲに関して左右対称の位置関係になり、通帳の搬送方向、頁めくりローラＴＲの回転方向がそれぞれ逆となる。
【０００４】
上記通帳頁めくり装置の頁めくりローラＴＲには、図６に詳細に示すように、頁めくりローラＴＲの外周の一部に頁めくりローラの軸心からの最大距離が搬送ローラを構成するフィードローラｆｒ２の半径よりも僅かに大きくなるように半径方向に突出する、ゴムなどの摩擦係数の大きい材料で作られためくり部材ｔｍが設けられている。
【０００５】
そして、めくり部材ｔｍを突設した頁めくりローラＴＲによるめくり動作を確実にするため、通帳搬送面の下側搬送ガイドＬＧに頁めくりローラ下方において孔１０３を形成するとともに、その孔から頁めくりローラＴＲに向けてバネ１０４などを介して弾力的に付勢する通帳押上部材１０５が備えられている。通帳押上部材１０５は、頁めくりローラＴＲのめくり部材ｔｍが通帳搬送面から上方に退避されている間は、一例として、カム１０６ａと駆動軸１０６ｂからなる押上機構１０６により通帳搬送面から下方に離間されている。
【０００６】
めくり動作の際は、頁めくりローラＴＲが所定方向に回転されると同時に通帳押上機構１０６が駆動されて、めくり部材ｔｍが図６に示されているようにめくり領域に存在する通帳１００に接触するとき、通帳が下側搬送ガイドＬＧに密着された状態となり、かつ、押上部材１０５による圧力により、円運動するめくり部材ｔｍの通帳（最上の中紙）に対する摩擦力が高められる。
【０００７】
上記構造の頁めくりローラＴＲは、めくり動作をする・しないに関わりなく、頁めくりローラを通帳搬送面に対して定位置に備えることができ、昇降手段や昇降制御手段を備える必要がないので、頁めくり装置の構成を非常に簡素化することができることと、頁めくりローラＴＲを搬送ローラＣＲ２のフィードローラｆｒ２と共通の軸上に設けて、頁めくり領域を容易に確保することができ、かつ、通帳に搬送力を確実に伝達することができる利点を有する。
【０００８】
【発明が解決しようとする課題】
しかしながら、下側搬送ガイドＬＧに設けてある孔１０３は、比較的小さいため、めくり部材ｔｍが通帳１００に接触して押圧するときの中紙の変形量は、通帳の種類や中紙の紙質に関わりなく、すなわち、新規通帳のように癖がない場合や薄紙で腰が弱い場合などに関わりなく、小さな範囲に押さえられる。
【０００９】
そのため、めくり部材ｔｍが下側搬送ガイドＬＧに最接近した時の中紙の撓み量が少ないので、めくり部材の中紙に与える押圧力は、頁めくりローラと下側搬送ガイドＬＧとの間に挟持されている枚数が多い場合、とくに、新規通帳のように癖がない場合に、過大になり、円運動するめくり部材ｔｍと中紙の間に生じる摩擦力と中紙同士の間に発生する摩擦力との差が、十分に大きくならないため、複数枚の中紙が同時にめくられる多重めくりが発生することがある。
また、腰の強さが弱い中紙を用いている通帳の場合は、めくり部材ｔｍの中紙に与える押圧力が過大であるため、中紙に折り目を形成したり、同様に多重めくりが発生することがある。
【００１０】
このような多重めくりを防止するには、押上機構１０６を紙質に適合するように微妙な調整を行うことが必要とされる。しかし、同一の通帳処理機において、紙質の異なる複数種類の通帳を扱う場合は、安定した頁めくりを行うことが困難である。
【００１１】
本発明は、上記の点に鑑みてなされたものであり、その課題は、通帳の紙質のいかんに関わらず、多重めくりを行うことがなく、かつ、安定しためくり動作が実現される通帳めくり装置を提供することにある。
【００１２】
【課題を解決するための手段】
上記課題を解決するため、本発明は、通帳搬送面の下側搬送ガイドよりも上側において駆動軸上に配設されたフィードローラの下方にこれに対して付勢されたプレッシャローラを設けるとともに、前記駆動軸上に外周の一部にめくり部材を突設された頁めくりローラを回転自在に保持し、頁めくり動作時は前記プレッシャローラを前記フィードローラから下方に離間させる手段と、頁めくり動作時は前記頁めくりローラに所定方向に回転させる手段とを設け、前記下側搬送ガイドの前記頁めくりローラの下方に位置する部分に形成した孔の下方に頁めくり動作時に前記孔を通って前記頁めくりローラに向かって移動される通帳押上部材を有する通帳押上機構を設けてある通帳頁めくり装置において、前記下側搬送ガイドの前記孔の周辺部分に前記頁めくりローラのめくり部材により押圧される通帳の一部が弾力的に沈み込み得る陥凹部を形成したことを特徴としている。
上記構成により、めくり領域に存在する通帳に頁めくりローラの回転によりめくり部材が押圧する時、通帳の大部分、すなわち、頁めくりローラに対応する部分以外の部分は、下側搬送ガイドに支持されているので、頁めくりローラで押圧されても安定しているため、陥凹部への沈み込み量は通帳の厚みや紙質等に的確に比例する。そして、通帳のめくり部材により押圧される部分が陥凹部に弾力的に沈み込み、前記めくり部材と中紙との接触面積が増大するため、前記めくり部材の通帳に与える押圧力が過大になることが防止される。そのため、めくり部材による過剰押圧に基づく多重めくり防止効果が安定して得られる。また、めくり部材と通帳の最上面の中紙との間の摩擦力は増大され、大きなめくり方向の力が与えられ、かつ、中紙間の摩擦力は小さい。従って、最上中紙の他の中紙からの分離性能が向上し、多重めくりが防止される。
【００１３】
【発明の実施の形態】
次に、本発明の実施例を図面に基づいて説明する。
図１は、本発明の改良点を示す要部の概略断面図、図２は図１のＸ−Ｘ線断面図、図３は厚い通帳を処理する場合の作用を説明する断面図、図４は同じく薄い通帳を処理する場合の作用を説明する断面図である。
上記図面において、上述した構成部材と同一の部材又は相当する部材には、同一の符号を用いる。
【００１４】
図１における搬送ローラＣＲ１は、従来と同様の構成を有する。すなわち、搬送ローラＣＲ１は、通帳搬送面を境としてその上下に対向配置されたフィードローラｆｒ１とプレッャローラｐｒ１からなり、フィードローラｆｒ１は左右のフレームＦ１，Ｆ２に回転自在に貫通された駆動軸１ａにその長手方向に適宜の間隔をもって複数個固着され、プレッシャローラｐｒ１は支軸１ｂにその長手方向にフィードローラｆｒ１と等しい間隔をもって揺動自在に支持されたアーム１ｃの先端に回転自在に保持され、アーム１ｃの後端と固定部材との間に張設されたバネなどの付勢部材１ｄにより、各フィードローラｆｒ１の方向に付勢されている。
【００１５】
図１の２ａも、フィードローラｆｒ１の駆動軸１ａと同様の駆動軸であり、その軸上にフィードローラｆｒ１と同様のフィードローラｆｒ２が同様に配置されており、また、各フィードローラｆｒ２の下方にそれぞれ対向して同様の付勢手段により付勢されたプレッャローラｐｒ２が配置されて、搬送ローラＣＲ２が構成されている。図１には、図面の簡明化のため、搬送ローラＣＲ２のプレッャローラが省略されている。
しかし、搬送ローラＣＲ２のプレッャローラｐｒ２のアーム２ｃには、ソレノイドなどの昇降手段（図５の２ｅ参照）が結合されていて、頁めくりローラＴＲがめくり動作をする間は、昇降手段が駆動されて、プレッャローラｐｒ２が付勢部材２ｄに抗してフィードローラｆｒ２から下方に離間されるようになっている。
【００１６】
そして、両フィードローラｆｒ１，ｆｒ２の駆動軸１ａ，２ａは、その一端部に設けられたプーリ３に共通の伝動ベルト（不図示）を巻回するなどして、図示されていない搬送モータから同一方向の回転駆動力を与えられるようになっている。これにより、搬送ローラＣＲ１，ＣＲ２により通帳を上側搬送ガイドＵＧと下側搬送ガイドＬＧの間を図１において右方向又は左方向に搬送することができる。
【００１７】
図１のＴＲは頁めくりローラであり、外周の一部にめくり部材ｔｍが突設されている。頁めくりローラＴＲは、スリーブ４の両端部の外周に固着されている。スリーブ４は、これに駆動軸２ａを貫通させ、図２に示すように、隣合う二つのフィードローラｆｒ２の間において、駆動軸２ａに固着されたストッパ５により所定位置において駆動軸２ａに回転自在に保持されている。
スリーブ４の中央部の外周にプーリ６が固着されている。そして、駆動軸２ａの上方において左右のフレームＦ１，Ｆ２に回転自在に貫通させた駆動軸７に、その中間部においてプーリ８が固着されており、前記二つのプーリ６，８に伝動ベルト９が巻回され、駆動軸７の一端部に固着されたプーリ１０に伝動ベルト（不図示）を介して、図示されていないめくりモータから回転駆動力を与えられるようにしてある。
【００１８】
頁めくりローラＴＲの下方には、通帳搬送面よりも下側おいて、摩擦係数の小さな材料で形成された通帳押上部材１０５が備えられ、好ましくは通帳押上部材１０５の下側にバネなどの弾力的に作用する付勢部材１０４が備えてある。さらに、通帳押上部材１０５は、好ましくは設置スペースが少なくて済むカム１０６ａと、これに貫通した駆動軸１０６ｂなどからなる押上機構１０６が設けられている。駆動軸１０６ｂは、その一端に設けられたプーリ１０６ｃ及び図示されていない伝動ベルトなどを介して、頁めくりローラＴＲと共通のモータ又は別のモータから回転力を与えられるようにしてある。
【００１９】
上記下側搬送ガイドＬＧには、頁めくりローラＴＲの下方において、通帳押上部材１０５が通帳搬送面に対して昇降することを可能にするための孔１０３が形成してあるとともに、その孔１０３を含めて孔の通帳搬送方向に沿った前後部分を通帳搬送面から下方に凹ませて、陥凹部１１が形成されている。つまり、搬送ガイドＬＧの頁めくりローラＴＲの下方に位置する部分に陥凹部１１を形成して、めくり領域に存在する通帳に頁めくりローラＴＲの回転によりめくり部材ｔｍが押圧する時、通帳の押圧される部分が弾力性をもって陥凹部１１に沈み込み得るようにしてある。
【００２０】
続いて、上記構成により頁めくり動作をする場合の作用を説明する。図３は厚い通帳の場合の、陥凹部１１における作用を示す。
搬送モータを起動させて、図１において搬送ローラＣＲ１，ＣＲ２を所定方向（例えば、図１においてフィードローラｆｒ１，ｆｒ２については反時計方向）に回転させて、図３，４に示すように、通帳１００Ａ，１００Ｂをそのめくられる頁側の端部が、頁めくり領域に到達するまで、すなわち、頁めくりローラＴＲの下方に位置するまで搬送して、搬送モータの回転を停止する。
その間、頁めくりローラＴＲは、めくり部材ｔｍが図１に示すように上方に位置する状態で維持されている。その後、搬送ローラＣＲ２のプレッシャローラｐｒ２をフィードローラｆｒ２から下方に離間退避させる。
【００２１】
続いて、めくりモータを起動させ、頁めくりローラＴＲを所定方向、図１においては時計方向に３６０度回転させると同時に、押上機構１０６を駆動させて、通帳押上部材１０５を上昇させる。これにより、図３に示すように、頁めくりローラＴＲの回転に伴い、めくり部材ｔｍが通帳の先端部に押圧力を加え、また、通帳押上部材１０５が通帳搬送面に向けて上昇される。
このめくり部材ｔｍによる押圧力及び通帳押上部材１０５による弾力的な押上力により、通帳の搬送ガイド陥凹部１１に対応する部分は、めくり部材ｔｍに強く反抗せずに、無理なく陥凹部１１に沈み込む。
その場合の沈み量、換言すると、変形量は、通帳の厚み、中紙の腰の強さなどにより、様々である。陥凹部１１は前後方向に比較的大きい面積を有するので、めくり部材ｔｍから与えられる押圧力に応じて緩やかに変形するため、頁めくりローラＴＲから通帳に与えられる押圧力が過大になることが防止され、かつ、めくり部材ｔｍと中紙との接触面積も増大されて、めくり部材ｔｍから通帳の最上中紙に与えられるめくり方向の摩擦力が従来に比し、飛躍的に増大される。
このため、めくり部材ｔｍと最上中紙との間の摩擦力が中紙同士間の摩擦力よりも明らかに大きくなるので、最上中紙の下側の中紙からの分離性能が向上し、最上中紙のみが他の中紙から分離される。従って、多重めくりが防止される。
そして、図５について説明した膨らみ工程（ｂ）及び跳ね上げ工程（ｃ）に移行し、所定枚数に対する回数の頁めくりローラＴＲの回転によるめくり動作をした後は、通帳押上部材１０５を図１の状態に下降させ、図５について説明した通帳吸引方向の搬送による中紙反転工程（ｄ）を経て、頁めくり動作を終了する。
【００２２】
図４は、通帳の中紙が薄い場合の、陥凹部における作用を示す。中紙が薄い場合であっても、めくり部材１０５が中紙に接触して押圧する際、その中紙は通帳押上部材１０５により押し上げられている。従って、めくり部材ｔｍから押圧力を与えられる中紙が極端に陥凹部１１に沈み込むこと、すなわち、中紙が円運動をするめくり部材から逃げてめくり方向の摩擦力を受けない状態になることが防止されるので、適度の摩擦力により多重めくりや空転や折れを生じることなく、確実に１枚ずつめくることができる。
【００２３】
上記実施例において、めくり部材ｔｍの形状、材質はとくに限定されず、また、実施例は、通帳押上機構、押上部材及び付勢手段は、単なる一例を示すに過ぎない。とくに、通帳押上機構は、頁めくりローラＴＲと同期して運動するリンク機構で構成することもできる。
【００２４】
本発明においては、上述の実施例に示すように、搬送ガイドＬＧの頁めくりローラＴＲの下方に位置する部分に陥凹部１１を形成して、頁めくりローラの回転時のめくり部材ｔｍが押圧する時、通帳の押圧される部分が陥凹部１１に弾力性をもってその陥凹部１１に沈み込み得るようにしたので、頁めくりローラが中紙に過大な押圧力を加えること、従って、多重めくりを発生することが防止される。また、新規通帳の癖のない中紙や腰の弱い中紙などの通帳の紙質に関係なく、調整を行う必要なしに、安定した頁めくりを実現することができる。
【００２５】
【発明の効果】
上述のように、本発明によれば、通帳の中紙の紙質に関わりなく、多重めくりを発生しない、かつ、各種の通帳に対して安定しためくり動作を実現することができる。
【図面の簡単な説明】
【図１】本発明の要部の構成を示す断面図。
【図２】図１のＸ−Ｘ線断面図。
【図３】厚い通帳の場合のめくり動作を説明する断面図。
【図４】薄い通帳の場合のめくり動作を説明する断面図。
【図５】先の提案に係る通帳めくり装置のめくり動作を示す説明図。
【図６】先の提案に係る通帳めくり装置の問題点を説明する要部断面図。
【符号の説明】
ＣＲ１，ＣＲ２      搬送ローラ
ＴＲ      頁めくりローラ
ｔｍ      めくり部材
ＬＧ      下側搬送ガイド
１０３    孔
１１      陥凹部
１０５    通帳押上部材
１０６    通帳押上機構
【図１】
0003715121.tif 000002
【図２】
0003715121.tif 000003
【図３】
0003715121.tif 000004
【図４】
0003715121.tif 000005
【図５】
0003715121.tif 000006
【図６】
0003715121.tif 000007